(57)【特許請求の範囲】
【請求項１】
デバイス間（Ｄ２Ｄ）通信およびアクセスクラス規制（ＡＣＢ）をサポートするよう動作可能なネットワークノードであって、
前記ネットワークノードによってサービスされるセル内で有効であるＡＣＢ構成が、前記セル内のユーザ機器（ＵＥ）によってＤ２Ｄ通信のためにスキップされてもよいことを判断する１つまたは複数のプロセッサと、
前記ネットワークノードによってサービスされる前記セル内に位置する複数のＵＥにＡＣＢスキップシステム情報をブロードキャストする送受信回路であって、前記ＡＣＢスキップシステム情報は、前記ＡＣＢ構成がＤ２Ｄ通信を確立することを要求する前記セル内のＵＥによってスキップされてもよいとの標識を含む、前記送受信回路とを備えるネットワークノード。
【請求項２】
前記ＡＣＢスキップシステム情報が異なるタイプのＵＥ用の個別パラメータ群を含む、請求項１に記載のネットワークノード。
【請求項３】
前記異なるタイプが公共安全タイプまたは非公共安全タイプのうちの少なくとも１つを含む、請求項２に記載のネットワークノード。
【請求項４】
前記ＡＣＢスキップシステム情報は、システム情報ブロックタイプ２（ＳＩＢ２）ブロードキャストの情報要素（ＩＥ）を含む、請求項２または３に記載のネットワークノード。
【請求項５】
前記１つまたは複数のプロセッサはさらに、前記ネットワークノードによってサービスされる前記セル内のユーザ機器（ＵＥ）が、第１のＤ２Ｄ資源割り当てモード（モード１）の使用が前記セル内で規制されているとき、第２のＤ２Ｄ資源割り当てモード（モード２）を使用することを許されていることを判断し、前記ＵＥがモード２において無線資源を割り当て、前記ネットワークノードがモード１ネットワークノードにおいて無線資源を割り当て、
前記送受信回路はさらに、前記ネットワークノードによってサービスされる前記セル内に位置する前記複数のＵＥに、Ｄ２Ｄ資源割り当てモード通信をブロードキャストし、前記Ｄ２Ｄ資源割り当てモード通信は、モード１の使用が前記セル内で規制されているとき、モード２を使用することをＵＥが許されているとの標識を含む、請求項１から４のいずれか一項に記載のネットワークノード。
【請求項６】
前記標識は、Ｄ２Ｄ通信のために無線資源制御（ＲＲＣ）接続を確立することを要求する前記セル内のＵＥによって前記ＡＣＢ構成がスキップされてもよいことを示す、請求項５に記載のネットワークノード。
【請求項７】
デバイス間（Ｄ２Ｄ）通信をサポートするユーザ機器（ＵＥ）であって、
アクセスクラス規制（ＡＣＢ）スキップ通信をネットワークノードから受信する送受信回路であって、前記ＡＣＢスキップ通信は、前記ネットワークノードによって無線資源が割り当てられるＤ２Ｄ資源割り当てモード（モード１）を使用するＤ２Ｄ通信のために前記ＵＥが無線資源制御（ＲＲＣ）接続を確立することを要求するとき、前記ＵＥが前記ネットワークノードによって使用されているＡＣＢ構成をスキップすることを許可されているとの標識を含む、送受信回路と、
Ｄ２Ｄ通信のためにＲＲＣ接続を確立するとき、前記ＵＥが前記ＡＣＢ構成をスキップできるように前記標識を適用する１つまたは複数のプロセッサとを備える、ユーザ機器（ＵＥ）。
【請求項８】
前記ＡＣＢスキップ通信が異なるタイプのＵＥ用の個別パラメータ群を含む、請求項７に記載のＵＥ。
【請求項９】
前記異なるタイプは公共安全タイプまたは非公共安全タイプのうちの少なくとも１つを含む、請求項８に記載のＵＥ。
【請求項１０】
前記ＡＣＢスキップ通信はシステム情報ブロックタイプ２（ＳＩＢ２）ブロードキャストの情報要素（ＩＥ）を含む、請求項８または９に記載のＵＥ。
【請求項１１】
前記１つまたは複数のプロセッサがさらに、前記標識に基づき、Ｄ２Ｄ通信を目的とし前記送受信回路を介して前記ネットワークノードとの無線資源制御（ＲＲＣ）接続を確立する、請求項７から１０のいずれか一項に記載のＵＥ。
【請求項１２】
前記送受信回路がさらにＤ２Ｄ資源割り当てモード通信を受信し、前記Ｄ２Ｄ資源割り当てモード通信は、前記ネットワークノードによってサービスされるセル内のＵＥが、第２のＤ２Ｄ資源割り当てモード（モード２）を使用することを許されているとの標識を含み、ＵＥはモード２においてＤ２Ｄ通信のために無線資源を割り当てることを許可されており、
前記１つまたは複数のプロセッサがさらに、前記Ｄ２Ｄ資源割り当てモード通信に基づきＤ２Ｄ通信のためのモードを選択する、請求項７から１１のいずれか一項に記載のＵＥ。
【請求項１３】
前記ネットワークノードが発展型ノードＢ（ｅＮＢ）である、請求項７から１２のいずれか一項に記載のＵＥ。
【請求項１４】
前記ＡＣＢスキップ通信がさらに、
モード１に適用可能な第１の複数のパラメータであって、それぞれのパラメータはＵＥの異なるカテゴリに対応する、第１の複数のパラメータ、および、
第２のＤ２Ｄ資源割り当てモード（モード２）に適用可能な第２の複数のパラメータであって、それぞれのパラメータはＵＥの異なるカテゴリに対応し、ＵＥはモード２を使用するときＤ２Ｄ通信のために無線資源を割り当てることを許可されている、第２の複数のパラメータを含む請求項７から１３のいずれか一項に記載のＵＥ。
【請求項１５】
前記送受信回路がさらに、前記ＵＥはＤ２Ｄ通信のためのモード１の使用を規制されていると示すＡＣＢ通信を前記ネットワークノードから受信し、
前記１つまたは複数のプロセッサがさらに、前記ＵＥはモード１の使用を規制されていると示す前記ＡＣＢスキップ通信に基づき、Ｄ２Ｄ通信のためにモード２を選択する、請求項１４に記載のＵＥ。
【請求項１６】
無線資源制御レイヤ（ＲＲＣレイヤ）モジュールと、
Ｄ２Ｄ通信のためにＲＲＣ接続が確立されることを求める要求を前記ＲＲＣレイヤモジュールに送信する前記ＵＥにおける非アクセス層レイヤ（ＮＡＳレイヤ）モジュールであって、
前記要求は前記ＲＲＣ接続がモバイル発信Ｄ２Ｄ通信のために確立されるべきであることを意味する呼種別またはＲＲＣ確立理由を含む、非アクセス層レイヤモジュールとをさらに備える請求項７から１５のいずれか一項に記載のＵＥ。
【請求項１７】
コンピュータプログラムであって、実行されると、コンピュータに以下のこと、すなわち、
ユーザ機器（ＵＥ）において、アクセスクラス規制（ＡＣＢ）スキップ通信をネットワークノードから受信することであって、前記ＡＣＢスキップ通信は、無線資源が前記ネットワークノードによって割り当てられるＤ２Ｄ資源割り当てモード（モード１）を使用するＤ２Ｄ通信のために前記ＵＥが無線資源制御（ＲＲＣ）接続を確立することを求めるとき、前記ＵＥが前記ネットワークノードにて適用されたＡＣＢ構成をスキップすることを許可されているとの標識を含む、受信すること、および
前記ＡＣＢスキップ通信に基づき、モード１を使用するＤ２Ｄ通信のためにＲＲＣ接続を確立することをユーザ機器（ＵＥ）がいつ許されるか判断することを実行させる、コンピュータプログラム。
【請求項１８】
コンピュータに、
Ｄ２Ｄ資源割り当てモード通信を受信することであって、前記Ｄ２Ｄ資源割り当てモード通信は、前記ネットワークノードによってサービスされるセル内のＵＥが、Ｄ２Ｄ通信のために無線資源を割り当てることをＵＥが許可されている第２のＤ２Ｄ資源割り当てモード（モード２）を使用することを許されているとの標識を含む、受信すること、および
前記Ｄ２Ｄ資源割り当てモード通信に基づき、前記ＵＥによってＤ２Ｄ通信のために使用されるモードを選択することをさらに実行させる、請求項１７に記載のコンピュータプログラム。
【請求項１９】
コンピュータに、
少なくとも１つのパラメータがＵＥを表す異なるカテゴリに対応する、モード１に適用可能な第１の複数のパラメータを受信すること、
モード２を使用するときＵＥがＤ２Ｄ通信のために無線資源を割り当てることを許可されている、第２のＤ２Ｄ資源割り当てモード（モード２）に適用可能な第２の複数のパラメータ、および
前記第１の複数のパラメータに基づくと共に前記第２の複数のパラメータに基づき、前記ＵＥによってＤ２Ｄ通信のために使用されるモードを選択することをさらに実行させる、請求項１８に記載のコンピュータプログラム。
【請求項２０】
前記第１の複数のパラメータの前記少なくとも１つのパラメータが公共安全カテゴリに対応する、請求項１９に記載のコンピュータプログラム。
【請求項２１】
請求項１７から２０のいずれか一項に記載のコンピュータプログラムを格納する、コンピュータ可読記録媒体。
【請求項２２】
ユーザ機器（ＵＥ）の装置であって、前記装置がデバイス間（Ｄ２Ｄ）通信をサポートする回路を備え、前記回路が、
アクセスクラス規制（ＡＣＢ）スキップ通信をネットワークノードから受信することであって、前記ＡＣＢスキップ通信は、無線資源が前記ネットワークノードによって割り当てられるＤ２Ｄ資源割り当てモード（モード１）を使用するＤ２Ｄ通信のために前記ＵＥが無線資源制御（ＲＲＣ）接続を確立することを求めるとき、前記ＵＥが前記ネットワークノードにて適用されたＡＣＢ構成をスキップすることを許可されているとの標識を含む、受信すること、および
前記ＡＣＢスキップ通信に基づき、モード１を使用するＤ２Ｄ通信のためにＲＲＣ接続を確立することをユーザ機器（ＵＥ）がいつ許されるか判断することを実行し、
フォールバック通信をネットワークノードから受信することであって、前記フォールバック通信は、第１のＤ２Ｄ資源割り当てモード（モード１）の使用が前記ネットワークノードによってサービスされるセル内のアクセスクラス規制（ＡＣＢ）によって規制されているとき、第２のＤ２Ｄ資源割り当てモード（モード２）を使用することを前記ＵＥが許可されているとの標識を含み、ＵＥがモード２において無線資源を割り当て、前記ネットワークノードがモード１において資源を割り当てる、受信すること、および
前記ＵＥがＤ２Ｄ通信を実行しようとするときに前記標識を適用することを行う、装置。
【請求項２３】
前記フォールバック通信がシステム情報ブロックタイプ２（ＳＩＢ２）ブロードキャストの情報要素（ＩＥ）を含む、請求項２２に記載の装置。
【請求項２４】
前記ネットワークノードが発展型ノードＢ（ｅＮＢ）である、請求項２２または２３に記載の装置。
【発明の詳細な説明】
【背景技術】
【０００１】
無線移動通信技術は、ネットワークノード（例えば、送信局）と無線デバイス（例えば、モバイルデバイス）との間のデータを伝送するのに種々の標準およびプロトコルを使用する。いくつかの無線デバイスは、ダウンリンク（ＤＬ：ｄｏｗｎｌｉｎｋ）伝送に直交周波数分割多元接続（ＯＦＤＭＡ：ｏｒｔｈｏｇｏｎａｌ ｆｒｅｑｕｅｎｃｙ−ｄｉｖｉｓｉｏｎ  ｍｕｌｔｉｐｅ ａｃｃｅｓｓ）を使用し、アップリンク（ＵＬ：ｕｐｌｉｎｋ）伝送にシングルキャリア周波数分割多元接続（ＳＣ−ＦＤＭＡ：ｓｉｎｇｌｅ−ｃａｒｒｉｅｒ  ｆｒｅｑｕｅｎｃｙ−ｄｉｖｉｓｉｏｎ  ｍｕｌｔｉｐｌｅ  ａｃｃｅｓｓ）を使用して通信する。信号伝送に直交周波数分割多重方式（ＯＦＤＭ：ｏｒｔｈｏｇｏｎａｌ  ｆｒｅｑｕｅｎｃｙ−ｄｉｖｉｓｉｏｎ  ｍｕｌｔｉｐｌｅｘｉｎｇ）を使用する標準およびプロトコルは、第３世代パートナーシッププロジェクト（３ＧＰＰ：ｔｈｉｒｄ−ｇｅｎｅｒａｔｉｏｎ  ｐａｒｔｎｅｒｓｈｉｐ  ｐｒｏｊｅｃｔ）ロングタームエボリューション（ＬＴＥ：ｌｏｎｇ−ｔｅｒｍ  ｅｖｏｌｕｔｉｏｎ）、ＷｉＭＡＸ（世界的マイクロ波アクセス相互運用：Ｗｏｒｌｄｗｉｄｅ  ｉｎｔｅｒｏｐｅｒａｂｉｌｉｔｙ  ｆｏｒ  Ｍｉｃｒｏｗａｖｅ  Ａｃｃｅｓｓ）として産業グループによく知られているインステチュート・オブ・エレクトリカル・アンド・エレクロニクス・エンジニアズ（ＩＥＥＥ：Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６標準（例えば、８０２．１６ｅ、８０２．１６ｍ）、およびＷｉＦｉとして産業グループによく知られているＩＥＥＥ８０２．１１標準を含む。
【０００２】
３ＧＰＰ無線アクセスネットワーク（ＲＡＮ：ｒａｄｉｏ  ａｃｃｅｓｓ  ｎｅｔｗｏｒｋ）ＬＴＥシステムでは、ネットワークノードは発展型ユニバーサル地上無線アクセスネットワーク（Ｅ−ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ Ｎｅｔｗｏｒｋ）ノードＢ（一般的に発展型ノードＢ、拡張型ノードＢ、ｅＮｏｄｅＢ、またはｅＮＢとも表される）であり得る。ネットワークノードは無線デバイスと通信することができ、ユーザ機器（ＵＥ：ｕｓｅｒ  ｅｑｕｉｐｍｅｎｔ）はそのような無線デバイスの一例である。ダウンリンク（ＤＬ）伝送は、ネットワークノード（例えば、ｅＮｏｄｅＢ）から無線デバイス（例えば、ＵＥ）への通信であり得、アップリンク（ＵＬ）伝送は、無線デバイスからネットワークノードへの通信であり得る。無線デバイスがネットワークノードによってサービスされている地理的な領域をセルと呼ぶことができる。
【０００３】
ＬＴＥシステムでは、物理ダウンリンク共有チャネル（ＰＤＳＣＨ：ｐｈｙｓｉｃａｌ  ｄｏｗｎｌｉｎｋ  ｓｈａｒｅｄ  ｃｈａｎｎｅｌ）でｅＮｏｄｅＢからＵＥへデータを伝送することができる。データが受信されたと肯定応答するのに、物理アップリンク制御チャネル（ＰＵＣＣＨ：ｐｈｙｓｉｃａｌ  ｕｐｌｉｎｋ  ｃｏｎｔｒｏｌ  ｃｈａｎｎｅｌ）を使用できる。ダウンリンクおよびアップリンクのチャネルまたは伝送は、時分割複信（ＴＤＤ：ｔｉｍｅ−ｄｉｖｉｓｉｏｎ  ｄｕｐｌｅｘｉｎｇ）または周波数分割複信（ＦＤＤ：ｆｒｅｑｕｅｎｃｙ−ｄｉｖｉｓｉｏｎ  ｄｕｐｌｅｘｉｎｇ）を使用できる。
【０００４】
Ｄ２Ｄ通信は２つのユーザ機器（ＵＥ）などの２つのデバイス間の直接通信である。２つのデバイス（例えばＬＴＥ準拠のデバイス）が比較的近くにあるときに、２つのデバイスは相互に直接通信することができる。Ｄ２Ｄ通信は、ＬＴＥなどのセルラシステムによって補助される場合もあるし、セルラネットワーク基盤を全く使用しない場合もある。
【発明の概要】
【課題を解決するための手段】
【０００５】
本開示の特徴および利点は、本開示の特徴を例として共に示している添付の図面と併せた以下の詳細な記載から明らかであろう。
【図面の簡単な説明】
【０００６】
【図１】一例による、システム情報ブロックタイプ２（ＳＩＢ２：ｓｙｓｔｅｍ  ｉｎｆｏｒｍａｔｉｏｎ  ｂｌｏｃｋ  ｔｙｐｅ  ２）の情報要素（ＩＥ：ｉｎｆｏｒｍａｔｉｏｎ  ｅｌｅｍｅｎｔ）を定義するのに使用できる抽象構文記法１（ＡＳＮ．１：Ａｂｓｔｒａｃｔ  Ｓｙｎｔａｘ  Ｎｏｔａｔｉｏｎ  Ｏｎｅ）コードの例を示す。
【０００７】
【図２】一例による、ＳＩＢ２の２つの情報要素を定義するのに使用できるＡＳＮ．１コードを示す。
【０００８】
【図３】一例による、Ｄ２Ｄ通信のためのＡＣＢスキップ機能をサポートするために、３ＧＰＰ技術仕様の一部に加えてもよい定義の例を示す。
【０００９】
【図４ａ】一例による、Ｄ２Ｄ通信のためのＡＣＢスキップ機能をサポートするために、３ＧＰＰ技術仕様の一部に加えてもよい定義の別の例を示す。
【００１０】
【図４ｂ】一例による、非アクセス層（ＮＡＳ：ｎｏｎ−ａｃｃｅｓｓ  ｓｔｒａｔｕｍ）の仕様に加えてもよい例示的な定義を示す。
【００１１】
【図５】一例による、ネットワークノードの機能を例示するフロー図である。
【００１２】
【図６】一例による、ＵＥの機能を例示するフロー図である。
【００１３】
【図７】一例による、無線デバイス（例えば、ＵＥ）の図解を示す。
【発明を実施するための形態】
【００１４】
次に、例示的に示されている実施形態を参照し、本明細書では、それを記載するのに特定の言葉を用いる。しかしながら、それによって、の範囲の限定が意図されるものではないことは理解されよう。
【００１５】
いくつかの実施形態を開示し記載する前に、請求項に記載された主題は、本明細書に開示の特定の構造、プロセス操作、または素材に限定されないが、関連技術の当業者が認識するように、その均等物に及ぶことが理解されねばならない。また、本明細書で用いられる用語は、特定の例を記載する目的に使用されるだけであり、限定する意図はないことも理解されねばならない。異なる図面の同じ参照番号は同じ要素を表す。フローチャートとプロセスに付与された数字は、動作を例示するうえで明確にするために付されたものであって、必ずしも特定の順番または順序を示すものではない。
【００１６】
技術実施形態の最初の概要を以下に提示したのち、次に、特定の技術実施形態をさらに詳細に記載する。この最初の概要は、より早く技術を理解する上で読み手を助けることを意図したものであるが、該技術の重要な特徴または基本的な特徴を特定することを意図するものでも、請求項に記載された対象の範囲を限定することを意図するものでもない。
【００１７】
ユーザ機器（ＵＥ）でデバイス間（Ｄ２Ｄ：ｄｅｖｉｃｅ−ｔｏ−ｄｅｖｉｃｅ）通信を実行するための技術について記載する。ＵＥは、ＬＴＥ／Ｅ−ＵＴＲＡＮ関連標準に従って動作することができる。例えば、ＵＥはＥ−ＵＴＲＡＮの３ＧＰＰ  ＬＴＥリリース１２（またはそれ以前の）標準によるセルラモバイルネットワークで動作することができる。Ｄ２Ｄ通信の特徴は、３ＧＰＰ  ＬＴＥ標準のＰｒｏＳｅ（近傍サービス：Ｐｒｏｘｉｍｉｔｙ  Ｓｅｒｖｉｃｅｓ）直接通信と呼ぶことができる。Ｄ２Ｄ通信は、ＵＥがセルラネットワークのカバレッジ外にあるとき、または代替的に、ＵＥがセルラネットワークのカバレッジ内にあるときに生じ得る。Ｄ２Ｄ無線ベアラによってＤ２Ｄデータは搬送され得る。
【００１８】
一例において、Ｄ２Ｄデータを送信しているＵＥを送信側ＵＥと呼ぶことができ、Ｄ２Ｄデータを受信しているＵＥを宛先ＵＥ、ターゲットＵＥまたは受信側ＵＥと呼ぶことができる。送信側ＵＥで実行中のアプリケーションによってＤ２Ｄデータを生成することができる。一実施形態では、該アプリケーションをＤ２Ｄアプリケーションと呼ぶことができるが、特定のＤ２Ｄタイプアプリケーションに限定されるものではない。送信側ＵＥは、Ｄ２Ｄデータが送信側ＵＥとターゲットＵＥとの間で確立されたＤ２Ｄ無線ベアラを使用してターゲットＵＥに伝送されてくると識別することができる。一例において、送信側ＵＥから単一のターゲットＵＥまたはターゲットＵＥのグループにＤ２Ｄデータを送信することができる。（本明細書に記載の例は、ターゲットまたは受信ＵＥへの伝送と呼ぶことができるが、これはターゲットまたは受信ＵＥのグループへの伝送でもあり得ることが理解されねばならない。）
【００１９】
Ｄ２Ｄ通信は、セルラスペクトルを使用している２つのＵＥ間の直接リンクを可能にすることができる。これにより、媒体または他のデータを１つのデバイスから別のデバイスに、直接接続を使用して短距離で転送することができる。データがＤ２Ｄ接続で通信されるとき、データはセルラネットワークに中継される必要はない。したがって、セルラネットワークが過負荷状態のときでも、または不良なカバレッジをもたらすときでも、データは依然としてＤ２Ｄ接続で通信することができる。セルラ基盤は、存在する場合、ピア検出、同期、識別のプロビジョンおよびセキュリティ情報など他の問題について補助することができる。
【００２０】
Ｄ２Ｄ通信の使用はいくつかの利点をユーザに与えることができる。例えば、デバイスはセルラ基盤から遠く離れることができる。Ｄ２Ｄ通信はネットワーク基盤に依存しないため、セルラネットワークが機能していなくても（例えば、災害時）、Ｄ２Ｄ通信はデバイスがローカルに通信することを可能にすることができる。このため、Ｄ２Ｄ性能を有するデバイスは、公共安全アプリケーションによく適合し得る（が、他のアプリケーションにもそれらを使用できる）。
【００２１】
Ｄ２Ｄ通信の特徴は、セルラネットワーク基盤によって搬送されるデータを必要とせず、セルラ無線スペクトル上でＵＥ間でデータを直接交換することを可能にする。それ故、Ｄ２Ｄ通信が与える別の利点は、認可されたスペクトルを使用できることである。認可されたスペクトルの周波数は、一般に干渉に左右されにくい。その上、Ｄ２Ｄ通信を使用する２つのデバイスが近くにあるときは、低い伝送電力レベルを使用でき、これはデバイスでのより効率的なエネルギ消費につながる。
【００２２】
送信側ＵＥがＤ２ＤデータをターゲットＵＥに送信するために、送信側ＵＥは、マクロｅＮＢまたは低電力ｅＮＢなどのｅＮＢとのＲＲＣ接続モードへ遷移することができる。送信側ＵＥは、定義済資源割り当てモードがＤ２ＤデータをターゲットＵＥへ通信するのに使用されるべきであるとの情報を、ｅＮＢを介してネットワークから受信することができる。例えば、送信側ＵＥは、ｅＮＢからシステム情報ブロック（ＳＩＢ：ｓｙｓｔｅｍ  ｉｎｆｏｒｍａｔｉｏｎ  ｂｌｏｃｋ）ブロードキャストに基づき、定義済資源割り当てモードを判断することができる。
【００２３】
Ｄ２Ｄ資源割り当てモード１において、ＵＥが位置しているセルをサービスするｅＮＢは、Ｄ２Ｄ伝送を実行するのにＵＥによって使用されるエアインタフェース資源のスケジューリングに能動的に関与することができる。他のシナリオでは、ＵＥは、Ｄ２Ｄ伝送を実行する上でＵＥがより自律的であるモードであるＤ２Ｄ資源割り当てモード２を使用して、Ｄ２Ｄ伝送を実行することができる。Ｄ２Ｄ資源割り当てモード２は、ＵＥがｅＮＢのカバレッジ外にあるときに生じてもよいが、ＵＥがカバレッジ内にあるときも生じ得る。モード２では、ｅＮＢはその資源の特定の部分を予約し、次に、ＵＥが自律的にどのようにその予約部分の中でＤ２Ｄデータを伝送するのか選択することを可能にすることができる。資源はかなり静的な仕方でＤ２Ｄ通信のために予約されているため、予約された資源のすべてが使われないと、資源の浪費が生じ得る。対照的に、Ｄ２Ｄ資源割り当てモード１は、Ｄ２Ｄ伝送が起ころうとしているときにネットワークが動的に資源を割り当てることを可能にし、これによってより効率的な解決策が与えられる。Ｄ２Ｄ伝送を実行しようとするＵＥが全くなければ、そのとき資源は、Ｄ２Ｄ伝送に不必要に割り当てられず、通常のセルラ通信に利用可能である。
【００２４】
一例において、定義済資源割り当てモードは、Ｄ２Ｄ資源割り当てモード１であり得る。サービス要求手順は、ＵＥの非アクセス層（ＮＡＳ）で開始することができる。サービス要求手順は、ｅＮＢとのＲＲＣ接続確立手順を実行するようＵＥのＲＲＣレイヤをトリガすることができる。ＵＥは、ＲＲＣ接続確立手順が完了すると、ＲＲＣアイドルモードからＲＲＣ接続モードに切り換わることができる。今ＲＲＣ接続モードであるＵＥは、バッファステータスレポート（ＢＳＲ：ｂｕｆｆｅｒ  ｓｔａｔｕｓ  ｒｅｐｏｒｔ）をｅＮＢに送信することができ、応答として、ＵＥはＤ２ＤデータをターゲットＵＥへ伝送することのアップリンク（ＵＬ）グラントをｅＮＢから受信することができる。ＵＥは、ｅＮＢによって付与されたＵＬグラントを使用してＤ２ＤデータをターゲットＵＥに送信することができる。送信側ＵＥとターゲットＵＥとの間のＤ２Ｄ無線ベアラ設定を使用して、送信側ＵＥからターゲットＵＥへＤ２Ｄデータを送信することができる。
【００２５】
Ｄ２Ｄ無線ベアラはセルラ通信に使用される無線ベアラに類似しているが、いくつかの重要な相違点がある。例えば、Ｄ２Ｄ無線ベアラは、ＵＥが無線資源制御（ＲＲＣ：ｒａｄｉｏ  ｒｅｓｏｕｒｃｅ  ｃｏｎｔｒｏｌ）アイドルモードまたはＲＲＣ接続モードのどちらかにあるときに、Ｄ２Ｄ  ＵＥ間に存在できる。つまり、Ｄ２Ｄ無線ベアラは、ＵＥがＲＲＣ＿ＩＤＬＥモードまたはＲＲＣ＿ＣＯＮＮＥＣＴＥＤモードのどちらかであるときに、存在できる。対照的に、セルラ無線ベアラ（または、データ無線ベアラ）は典型的には、ＵＥがＲＲＣ接続モードにあるときに存在する。さらに、Ｄ２Ｄ無線ベアラは、ＵＥのアプリケーションレイヤからのデータの到着に基づき、必要に応じてＵＥによって設置および解放され得る。対照的に、セルラ無線ベアラはネットワークによって設置され、構成され、解放される。そのうえ、Ｄ２Ｄデータは２つのＵＥ間で直接伝送されるので、３ＧＰＰネットワークを通らない。
【００２６】
ＵＥがＤ２Ｄ資源割り当てモード１を使用するとき、ＵＥはセル無線資源を使用できるが、如何なるコアネットワーク資源も使用していないであろう。したがって、コアネットワークのデータ経路に輻輳または問題があっても、Ｄ２Ｄ通信は依然として継続することが許され得る。しかしながら、輻輳しているネットワークに適用されるであろう現在のアクセスクラス規制メカニズムは、ＵＥがＤ２Ｄ通信の目的のためにＲＲＣ接続を確立しようとするだけでも、ＵＥがＲＲＣ接続を確立することを不必要に禁止することができる。
【００２７】
コアネットワーク資源が輻輳しているとき、アクセスクラス規制（ＡＣＢ：Ａｃｃｅｓｓ−ｃｌａｓｓ  ｂａｒｒｉｎｇ）メカニズムを用いて、特定のＵＥがＲＲＣ接続確立手順を開始することを禁止することによって、ネットワークへのアクセスを制御することができる。ｅＮＢは、ブロードキャストシステム情報で特定のパラメータ群を伝送することによって、ＡＣＢメカニズムを適用することができる。ブロードキャストシステム情報を受信するＵＥは、ＵＥがこれらのパラメータ群に基づき、ＵＥのセルへアクセスすることを許されているかどうか判断する。パラメータ群は、例えば、セルのカバレッジ領域にあるＵＥのうち、セルの使用が禁止されるＵＥの割合を制御するのに用いられる確率係数であるアクセスクラス（ａｃ）−ＢａｒｒｉｎｇＦａｃｔｏｒと、ＵＥが、セルへのアクセスが禁じられると見なす時限であるａｃ−ＢａｒｒｉｎｇＴｉｍｅと、特定のカテゴリ（例えば、通信事業者の従業員、緊急サービスなど）に属するＵＥがセルへのアクセスを許可されているかどうか各ビットが決定するビットマップであるａｃ−ＢａｒｒｉｎｇＦｏｒＳｐｅｃｉａｌＡＣとを含むこともできる。
【００２８】
一部のＵＥは、ホーム公衆地上モバイルネットワーク（ＨＰＬＭＮ：Ｈｏｍｅ  Ｐｕｂｌｉｃ  Ｌａｎｄ  Ｍｏｂｉｌｅ  Ｎｅｔｗｏｒｋ）により、公共安全ＵＥであるように構成され得る。場合によって、公共安全ＵＥは、特定のアクセスクラス（例えば、Ｉ１、Ｉ２、またはＩ３）を持つ汎用加入者識別モジュール（ＵＳＩＭ：Ｕｎｉｖｅｒｓａｌ  Ｓｕｂｓｃｒｉｂｅｒ  Ｉｄｅｎｔｉｔｙ  Ｍｏｄｕｌｅ）を有する。しかしながら、他の場合では、公共安全ＵＥは特定のアクセスクラスが割り当てられたＵＳＩＭを含まない。
【００２９】
特定のアクセスクラスを有するＵＳＩＭを含まない公共安全ＵＥおよび商用（例えば、公共安全でない）ＵＥは、セルから受信されたブロードキャストシステム情報にあるパラメータ群に基づきアクセスクラス規制（ＡＣＢ）を適用するように構成されている。既存の仕組みでは、これらのタイプのＵＥが、資源割り当てモード１を使用してＤ２Ｄ通信を促すためにネットワークにアクセスしようとするだけでも、ＡＣＢは適用される。したがって、コアネットワークの輻輳（必ずしも特定のｅＮＢでの無線アクセス輻輳であるというわけではない）がある状況において、ＵＥはＲＲＣ＿ＣＯＮＮＥＣＴＥＤモードに入ることができず、故に、Ｄ２Ｄ通信が実際にはコアネットワーク資源を消費しないであろうにもかかわらず、Ｄ２Ｄ通信を実行することができない場合がある。
【００３０】
３ＧＰＰリリース１１で導入されたＡＣＢスキップは、マルチメディアテレフォニ（ＭＭＴｅｌ：Ｍｕｌｔｉｍｅｄｉａ  Ｔｅｌｅｐｈｏｎｙ）ＩＰマルチメディアシステム（ＩＭＳ：ＩＰ  Ｍｕｌｔｉｍｅｄｉａ  Ｓｙｓｔｅｍ）音声／ビデオまたはシグナリングゲートウェイ（ＳＧ：Ｓｉｇｎａｌｉｎｇ  Ｇａｔｅｗａｙ）上のショートメッセージサービスオーバーＩＰ（ＳＭＳｏＩＰ：Ｓｈｏｒｔ  Ｍｅｓｓａｇｅ  Ｓｅｒｖｉｃｅ  ｏｖｅｒ  ＩＰ）のためにＲＲＣ接続を確立しようとするＵＥが、ＡＣＢ手順をスキップすることを可能にする。このようにして、これらのサービス（例えば、ＭＭＴｅｌ  ＩＭＳ音声／ビデオ、およびＳＭＳｏＩＰ  ＳＭＳオーバーＳＧ）は、輻輳が生じたときに優先される。ＡＣＢスキップは、それぞれのタイプのサービスを個別に活性化することができる。
【００３１】
本明細書に記載のいくつかの例は、ＡＣＢスキップの原理を、Ｄ２Ｄ割り当て目的のためにネットワークに接続しようとしているＵＥに対して拡張するのに使用されてもよいシステムおよび方法を示す。本明細書に記載の更なる例は、Ｄ２Ｄ割り当てモード１の使用が規制されているとき、ＵＥがＤ２Ｄ割り当てモード２を使ってＤ２Ｄ通信を実行することを許可されている（または、されていない）ことをネットワークが示すことのできるシステムおよび方法も示す。
【００３２】
前に触れたように、３ＧＰＰ  ＬＴＥネットワークは、アクセスクラス規制（ＡＣＢ）を使用することによって、ＲＲＣ接続設定要求試行を制限することができる。Ｄ２Ｄの一部として、Ｄ２Ｄ資源割り当てを目的とするＲＲＣ接続要求を送信しているＵＥ向けに異なる規制パラメータ群をｅＮＢが構成することができるように、このメカニズムを拡張することは有益となり得る。図１に示すように、システム情報ブロック２（ＳＩＢ２）に、Ｄ２Ｄに特有のＡＣＢパラメータ群を加えることができる。例えば、選択１１０に示されるように、ＡＣＢ構成を設定するために、ａｃ−ＢａｒｒｉｎｇＦｏｒＤ２Ｄ−ｒｌ２と名付けられたパラメータをＳＩＢ２に加えることができる。
【００３３】
アクセスクラス規制で、ネットワークは、ＵＥがＤ２Ｄ通信の目的のためにネットワークにアクセスしているかどうか、あるいはＵＥが通常のセルラ通信トラフィックを目的としてネットワークにアクセスしているかどうか（例えば、音声呼、データ転送）に応じて、異なる規制構成を設定することを所望する場合がある。例えば、ネットワークが過負荷状態でＤ２Ｄ通信が公共安全ユーザによって使用されていれば、そのときはＤ２Ｄ通信が優先され得るが、非Ｄ２Ｄトラフィックにはアクセス規制が適用され得る。別の例では、Ｄ２Ｄ通信が他の目的（例えば、写真の共有、ビデオの共有）に使われているならば、デバイス間のトラフィックの代りにＵＥ−ネットワーク間のトラフィックを優先することもできる。
【００３４】
ＵＥがＳＩＢ２でＡＣＢ構成を受信し、特定のＲＲＣ接続確立試行に対してセルへのアクセスが規制されていると判断すれば、次にＵＥのＲＲＣレイヤは、ＵＥに適用されるＤ２Ｄ資源割り当てのアクセス規制のためにＲＲＣ接続の確立に失敗したことについてＵＥの上位レイヤに通知することができ、それによってＲＲＣ確立手順は終了する。
【００３５】
［代替手段１］：Ｄ２Ｄ用ＡＣＢスキップ標識
一実施形態では、Ｄ２Ｄ用に別々の規制パラメータ群を持つ代わりに、ネットワークは、ＵＥがＤ２Ｄ通信の目的でＲＲＣ接続を確立しようとする場合にはＡＣＢをスキップできることをＵＥに示すことができる。図１は、システム情報ブロックタイプ２（ＳＩＢ２）の、Ｄ２Ｄ通信を目的としたＲＲＣ接続の確立を要求するＵＥによってＡＣＢがスキップされ得るかどうかを示す、情報要素（ＩＥ）１１０を定義するのに使用され得る抽象構文記法１（ＡＳＮ．１）コードの例を示す。セルのカバレッジ領域内のＵＥは、次に、セルの中のノードによって（例えば、ｅＮＢによって）ブロードキャストされるＳＩＢ２でＩＥを受信することができ、Ｄ２Ｄ通信を目的としてＲＲＣ接続を確立しようとするときに、ＡＣＢを適用するかどうか判断することができる。
【００３６】
［代替手段２：特定のＤ２Ｄカテゴリ／タイプ用ＡＣＢスキップ標識］
別の実施形態では、ネットワークがＵＥの１を超えるカテゴリまたはタイプに関し、Ｄ２Ｄを目的としたアクセスを独立して制御することができるようにメカニズムを定義することができる。図２は、ＳＩＢ２の２つのＩＥを定義するのに使用され得るＡＳＮ．１コードの例を示す。第１のＩＥ２１０は、Ｄ２Ｄ通信を目的としてＲＲＣ接続を確立することを要求する公共安全ＵＥによって、ＡＣＢがスキップされ得るかどうかを示す。第２のＩＥ２２０は、Ｄ２Ｄ通信を目的としてＲＲＣ接続を確立することを要求する商用ＵＥによって、ＡＣＢがスキップされ得るかどうかを示す。これら２つのＩＥを使用することにより、ｅＮＢは、ＵＥの１を超えるカテゴリに関し、Ｄ２Ｄ通信を目的としたネットワークへのアクセスを独立して制御することができる。当該代替手段は、ｅＮＢの資源が、異なるＤ２Ｄシナリオをサポートするために、及び輻輳の状況に基づき異なるＡＣＢ機能をサポートするために分割されているセルに特に適している。
【００３７】
図１および２は、それぞれ、ＳＩＢ２に１つおよび２つのＩＥが追加される解決法を示すが、ＵＥのより多くのカテゴリ／タイプ、またはＤ２Ｄ通信のための他の特定の目的をカバーするために、より多数のＩＥをＳＩＢ２に追加することもできる。さらに、所望により代替手段１および２を併せて実装してもよい。
【００３８】
［手法１：包括的Ｄ２Ｄサービス標識］
図３は、Ｄ２Ｄ通信のためのＡＣＢスキップ機能をサポートするべく、ＲＲＣ接続確立手順を変更するために、３ＧＰＰ技術仕様書（ＴＳ：Ｔｅｃｈｎｉｃａｌ  Ｓｐｅｃｉｆｉｃａｔｉｏｎ）３６．３３１の一部に加えてもよい定義の例を示す。この例では、旧来のＲＲＣ呼種別または確立理由が使用され、変更されないままである。選択３１０に示されるように、Ｄ２Ｄ通信を目的としたＲＲＣ接続を確立しようとするＵＥは、Ｄ２Ｄ通信を目的に接続が求められているときにＡＣＢがスキップされ得ると示すＩＥ（例えば、ａｃ−ＢａｒｒｉｎｇＳｋｉｐＦｏｒＤ２ｄ）をＳＩＢ２が含むかどうか判断することができる。かかるＩＥがＳＩＢ２内にあれば、ＵＥは、選択３２０に示されるように、Ｄ２Ｄ通信を目的としたセルへのアクセスは規制されないと見なすことができる。
【００３９】
［手法２：モバイル発信Ｄ２Ｄ（呼種別）］
図４ａは、Ｄ２Ｄ通信のためのＡＣＢスキップ機能をサポートするべく、ＲＲＣ接続確立手順を変更するために、３ＧＰＰ技術仕様書（ＴＳ：Ｔｅｃｈｎｉｃａｌ  Ｓｐｅｃｉｆｉｃａｔｉｏｎ）３６．３３１、たとえばバージョン１２．０．ｘまたはそれ以降、の一部に加えてもよい定義の他の例を示す。この例では、旧来からのＲＲＣ確立理由は変更されないままであるが、新たな呼種別であるモバイル発信Ｄ２Ｄが定義され、選択４１０に示されている。ＵＥ  ＲＲＣレイヤは、（ＮＡＳによってＲＲＣ接続が要求されているとき）ＵＥ  ＮＡＳレイヤからパラメータとして受信されるこの呼種別を、Ｄ２Ｄ通信を目的としてＲＲＣ接続が望まれていることを判断するのに使用することができる。次に、選択４２０に示されるように、ＵＥは、Ｄ２Ｄ通信を目的に接続が求められているときにＡＣＢがスキップされ得ると示すＩＥ（例えば、ａｃ−ＢａｒｒｉｎｇＳｋｉｐＦｏｒＤ２ｄ）をネットワークから受信されたＳＩＢ２が含むかどうか判断することができる。かかるＩＥがＳＩＢ２内にあれば、ＵＥは、選択４３０に示されるように、Ｄ２Ｄ通信を目的としたセルへのアクセスは規制されないと見なすことができる。
【００４０】
図４ｂは手法２による非アクセス層（ＮＡＳ）仕様（例えば、示されている３ＧＰＰ  ＴＳ２４．３０１における）に加えてもよい例示的な定義４４０を示す。
【００４１】
［手法３：ＲＲＣ  Ｄ２Ｄ標識］
別の例では、ＵＥ  ＮＡＳレイヤからＵＥ  ＲＲＣレイヤへ送られるＲＲＣ確立理由パラメータへの新しい値を定義することができる（例えば、「Ｄ２Ｄ」または「Ｄ２Ｄ通信」のように）。この場合、ＵＥが緊急ベアラサービス用に確立されたＰＤＮ接続を有しておらず、かつ、要求タイプを「緊急」に設定したＰＤＮ  ＣＯＮＮＥＣＴＩＶＩＴＹ  ＲＥＱＵＥＳＴを開始しておらず、ＵＥがＤ２Ｄ通信を確立したいのであれば、ＲＲＣ確立理由を「Ｄ２Ｄ通信」に設定することができる。このとき、確立が求められている所望のＲＲＣ接続の目的がＤ２Ｄ通信であることを確立理由パラメータに基づいて判断するように、ＵＥを構成することができる。
【００４２】
別の実施形態では、ネットワークのノード（例えば、ｅＮＢ）は、セル内のＵＥに、割り当てモード１の使用が規制されているとき、ＵＥが割り当てモード２の使用に「フォールバック」することを許されているかどうかを示す通信を送信するようにも構成されてもよい。
【００４３】
一例において、当該通信は、ネットワークからのブロードキャストメッセージに含まれる情報要素（ＩＥ）（例えば、「ｆａｌｌＢａｃｋＴｏＤ２Ｄｍｏｄｅ２  ＥＮＵＭＥＲＡＴＥＤ  ｛ｔｒｕｅ｝」）を含み得る。当該ＩＥは、モード１が規制されているときはモード２を使用することをＵＥが許されていると示すことに使用できる。あるいは、当該ＩＥは、モード１のＡＣＢを実行する必要なく、直ちにモード２を使用することをＵＥが許されていると示すことができる。
【００４４】
別の例では、それぞれのＤ２Ｄ資源割り当てモード用に２つの異なるＡＣＢパラメータ（例えば、モード１用に「ＡＣ−ＢａｒｒｉｎｇＣｏｎｆｉｇ」オブジェクトに「ａｃ−ＢａｒｒｉｎｇＦｏｒＤ２Ｄ−Ｍｏｄｅ１」、モード２用に「ＡＣ−Ｂａｒｒｉｎｇ  Ｃｏｎｆｉｇ」に「ａｃ−ＢａｒｒｉｎｇＦｏｒＤ２Ｄ−Ｍｏｄｅ２」）を定義することができる。ＵＥによって、これらのＡＣＢ規制パラメータは次のように使用され得るであろう。ある場合、Ｄ２Ｄ通信のためにＲＲＣ接続を確立しようとするＵＥはモード１が規制されていると判断する場合がある。ＵＥはその時、Ｄ２Ｄモード２も規制されているか判断するために「ａｃ−ＢａｒｒｉｎｇＦｏｒＤ２Ｄ−Ｍｏｄｅ２  ＡＣ−ＢａｒｒｉｎｇＣｏｎｆｉｇ」でブロードキャストされた新しいＡＣＢパラメータを使用できる。別の場合、Ｄ２Ｄ通信のためにＲＲＣ接続を確立しようとするＵＥはモード１、モード２のどちらも規制されていないと判断する場合がある（すなわちＵＥがモード１またはモード２を使用することが許可されている）。この場合、ＵＥは、各モードのＡＣＢパラメータに基づき、使用するモードを選択することができる。別の例では、ＳＩＢ２における「ａｃ−ＢａｒｒｉｎｇＦｏｒＤ２Ｄ−Ｍｏｄｅ２」ＩＥの存在が、ブロードキャストされたどのＡＣＢパラメータ群も適切に守られる限り、モード２へのフォールバックをＵＥが許されていると示すのに使用され得る。「ａｃ−ＢａｒｒｉｎｇＦｏｒＤ２Ｄ−Ｍｏｄｅ２」パラメータは、既存の「ＡＣ−ＢａｒｒｉｎｇＣｏｎｆｉｇ」オブジェクトに組み入れることができ、または、他のＡＣＢ−Ｂａｒｒｉｎｇ  ＩＥを含む異なるオブジェクトにいることができる。
【００４５】
また、本明細書に記載された上記のメカニズムは、一般にＤ２Ｄ通信のために使用されるが、同様のメカニズムはＤ２Ｄ検出のためにも使用できるであろう。
【００４６】
図５は、一例によるネットワークノードの機能５００を例示するフロー図である。５１０のように、ＡＣＢスキップシステム情報は、ネットワークノードで（例えば１つまたは複数のプロセッサによって）識別することができる。ＡＣＢスキップシステム情報は、ネットワークノードによって使用されるＡＣＢ構成が、Ｄ２Ｄ資源割り当てモード１を使用するＤ２Ｄ通信のために無線資源制御（ＲＲＣ）接続を確立することを要求するユーザ機器（ＵＥ）によってスキップされてもよいとの標識を含み得る。ＡＣＢスキップシステム情報は、異なるカテゴリ（例えば、公共安全カテゴリおよび／または非公共安全カテゴリ）のＵＥ用の個別パラメータ群を含み得る。ＡＣＢスキップシステム情報はさらに、システム情報ブロックタイプ２（ＳＩＢ２）ブロードキャストの情報要素（ＩＥ）を含み得る。５２０のように、Ｄ２Ｄ資源割り当てモード通信も、ネットワークノードで（例えば１つまたは複数のプロセッサによって）識別することができる）。Ｄ２Ｄ資源割り当てモード通信は、ネットワークノードによってサービスされるセル内にあるＵＥがＤ２Ｄ資源割り当てモード２を使用することを許されているとの標識を含み得る。５３０のように、ネットワークノードは、ネットワークノードによってサービスされるセル内に位置する複数のＵＥに、ＡＣＢスキップシステム情報および／またはＤ２Ｄ資源割り当てモード通信を（例えばネットワークノードの送受信回路を介して）ブロードキャストすることができる。５４０のように、モード２を使用するＵＥがＤ２Ｄ通信のために資源を割り当てることを許可されているＤ２Ｄ無線資源プールは、ネットワークノードで（例えば１つまたは複数のプロセッサによって）識別され得る。５４０のように、Ｄ２Ｄ資源プール通信は、ネットワークノードで（例えば１つまたは複数のプロセッサによって）識別され得る。Ｄ２Ｄ資源プール通信は、モード２を使用するＵＥがＤ２Ｄ通信のために資源を割り当てることを許可されているＤ２Ｄ無線資源プールを識別することができる。５５０のように、ネットワークノードは、複数のＵＥに（例えばネットワークノードの送受信回路を介して）Ｄ２Ｄ資源プール通信を送信することができる。
【００４７】
図６は、一例によるＵＥの機能６００を例示するフロー図である。６１０のように、ＵＥは、（例えばＵＥの送受信回路を介して）ネットワークノードからＡＣＢスキップ通信を受信することができる。ＡＣＢスキップ通信は、ＵＥがＤ２Ｄ資源割り当てモード１を使用してＤ２Ｄ通信の目的のために無線資源制御（ＲＲＣ）接続を確立することを要求しようとするとき、ネットワークノードによって使用されるＡＣＢメカニズムをスキップすることをＵＥが許可されているとの標識を含み得る。ＡＣＢスキップ通信は、異なるカテゴリ（例えば、公共安全カテゴリおよび／または非公共安全カテゴリ）のＵＥ用の個別パラメータ群を含み得る。加えて、ＡＣＢスキップ通信は、モード１に適用可能な第１の複数のパラメータを含むことができ、それぞれのパラメータはＵＥの異なるカテゴリ（カテゴリの例：公共安全、商用など）に対応する。ＡＣＢスキップ通信はさらに、第２のモード２に適用可能な第２の複数のパラメータを含むことができ、それぞれのパラメータはＵＥの異なるカテゴリに対応する。ＡＣＢスキップ通信はさらに、システム情報ブロックタイプ２（ＳＩＢ２）ブロードキャストの情報要素（ＩＥ）を含み得る。６２０のように、ＵＥは、（例えばＵＥの送受信回路を介して）Ｄ２Ｄ資源割り当てモード通信を受信することができる。Ｄ２Ｄ資源割り当てモード通信は、ネットワークノードによってサービスされるセル内のＵＥがＤ２Ｄ資源割り当てモード２を使用することを許されているとの標識を含み得る。いくつかの実施形態では、ＵＥは、ＵＥがモード１の使用を規制されていると示すＡＣＢ通信をネットワークノードから（例えばＵＥの送受信回路を介して）受信することもできる。６３０のように、ＵＥは（例えばＵＥの１つまたは複数のプロセッサを使用することによって）、Ｄ２Ｄ資源割り当てモード通信（および／または受信している場合はＡＣＢ通信）に基づき、Ｄ２Ｄ通信のためのモードを選択することができる。６４０のように、モード１が選択された場合、ＵＥは（例えばＵＥの１つまたは複数のプロセッサを使用することによって）、Ｄ２Ｄ通信を目的としたネットワークノードとの（例えばＵＥの送受信回路を介して）無線資源制御（ＲＲＣ）接続を確立することができる。いくつかの実施形態では、ＵＥは無線資源制御レイヤ（ＲＲＣレイヤ）モジュールおよび非アクセス層レイヤ（ＮＡＳレイヤ）モジュールを含み得る。ＮＡＳレイヤモジュールは、Ｄ２Ｄ通信のためにＲＲＣ接続が確立されることを求める要求をＲＲＣレイヤに送信するように構成され得る。該要求は、モバイル発信Ｄ２Ｄ通信のためにＲＲＣ接続が確立されるべきであることを意味する呼種別を含み得る。任意に、ＲＲＣ確立理由はＤ２Ｄ通信を示すことができる。６５０のように、モード２が選択された場合、ＵＥは（例えばＵＥの送受信回路を介して）Ｄ２Ｄ資源プール通信を受信することができる。Ｄ２Ｄ資源プール通信は、モード２を使用するＵＥがＤ２Ｄ通信のために資源を割り当てることを許可されているＤ２Ｄ無線資源プールを識別することができる。６６０のように、ＵＥはその後、（例えばＵＥの１つまたは複数のプロセッサを使用することによって）、Ｄ２Ｄ無線資源プールに基づき、かつ、選択したＤ２Ｄ通信のモードに基づき、Ｄ２Ｄ通信のために資源を割り当てることができる。
【００４８】
図７は、ユーザ機器（ＵＥ）、移動局（ＭＳ）、移動無線デバイス、移動通信デバイス、タブレット、送受話器、または他のタイプの無線デバイスなど、無線デバイスの例示的な図を示す。無線デバイスは、ノード、マクロノード、低電力ノード（ＬＰＮ：ｌｏｗ  ｐｏｗｅｒ  ｎｏｄｅ）、または送信局、たとえば基地局（ＢＳ：ｂａｓｅ  ｓｔａｔｉｏｎ）、発展型ノードＢ（ｅＮＢ）、ベースバンドユニット（ＢＢＵ：ｂａｓｅｂａｎｄ  ｕｎｉｔ）、リモート無線ヘッド（ＲＲＨ：ｒｅｍｏｔｅ  ｒａｄｉｏ  ｈｅａｄ）、リモート無線機器（ＲＲＥ：ｒｅｍｏｔｅ  ｒａｄｉｏ  ｅｑｕｉｐｍｅｎｔ）、中継局（ＲＳ：ｒｅｌａｙ  ｓｔａｔｉｏｎ）、無線機器（ＲＥ：ｒａｄｉｏ  ｅｑｕｉｐｍｅｎｔ）、または他のタイプの無線広域ネットワーク（ＷＷＡＮ：ｗｉｒｅｌｅｓｓ  ｗｉｄｅ  ａｒｅａ  ｎｅｔｗｏｒｋ）アクセスポイントなど、と通信するように構成された１つまたは複数のアンテナを含み得る。無線デバイスは、３ＧＰＰ  ＬＴＥ、ＷｉＭＡＸ、高速パケットアクセス（ＨＳＰＡ：Ｈｉｇｈ  Ｓｐｅｅｄ  Ｐａｃｋｅｔ  Ａｃｃｅｓｓ）、Ｂｌｕｅｔｏｏｔｈ（登録商標）およびＷｉＦｉを含む少なくとも１つの無線通信標準を使用して通信するように構成され得る。無線デバイスは、それぞれの無線通信標準用の別々のアンテナ、または複数の無線通信標準のための共有アンテナを使用して通信することができる。無線デバイスは、無線ローカルエリアネットワーク（ＷＬＡＮ：ｗｉｒｅｌｅｓｓ  ｌｏｃａｌ  ａｒｅａ  ｎｅｔｗｏｒｋ）、無線パーソナルエリアネットワーク（ＷＰＡＮ：ｗｉｒｅｌｅｓｓ  ｐｅｒｓｏｎａｌ  ａｒｅａ  ｎｅｔｗｏｒｋ）および／またはＷＷＡＮで通信することができる。
【００４９】
図７はさらに、無線デバイスとのオーディオ入力および出力に使用できるマイクロホンと１個以上のスピーカの図を示す。ディスプレイスクリーンは、液晶ディスプレイ（ＬＣＤ：ｌｉｑｕｉｄ  ｃｒｙｓｔａｌ  ｄｉｓｐｌａｙ）スクリーン、または有機発光ダイオード（ＯＬＥＤ：ｏｒｇａｎｉｃ  ｌｉｇｈｔ  ｅｍｉｔｔｉｎｇ  ｄｉｏｄｅ）ディスプレイなどの他のタイプのディスプレイスクリーンであり得る。ディスプレイスクリーンはタッチスクリーンとして構成することができる。タッチスクリーンには、静電容量式、抵抗式、または別のタイプのタッチスクリーン技術を使用することができる。アプリケーションプロセッサおよびグラフィックプロセッサは内部メモリに結合され、処理および表示性能を提供することができる。不揮発性メモリポートは、ユーザにデータ入出力オプションを提供するためにも使用され得る。不揮発性メモリポートは、無線デバイスの記憶性能を拡張するためにも使用され得る。追加ユーザ入力を提供するために、キーボードが無線デバイスと統合され得るか、または無線で無線デバイスに接続され得る。タッチスクリーンを使用して仮想キーボードも提供され得る。
【００５０】
種々の技術、あるいはその特定の態様または一部は、フロッピー（登録商標）ディスケット、ＣＤ−ＲＯＭ、ハードドライブ、非一時的コンピュータ読み取り可能記憶媒体、またはその他の何らかの機械読み取り可能記憶媒体などの有形媒体に具体化されるプログラムコード（すなわち命令）の形をとることができ、プログラムコートが読み込まれ、コンピュータなどの機械によって実行されると、当該機械は種々の技術を実施する装置となる。回路はハードウェア、ファームウェア、プログラムコード、実行可能コード、コンピュータ命令および／またはソフトウェアを含み得る。非一時的コンピュータ読み取り可能記憶媒体は、信号を含まないコンピュータ読み取り可能記憶媒体であり得る。プログラム可能なコンピュータ上でプログラムコードを実行する場合、コンピューティングデバイスは、プロセッサ、プロセッサによって読み取り可能な記憶媒体（揮発性および不揮発性メモリおよび／または記憶素子を含む）、少なくとも１つの入力デバイスおよび少なくとも１つの出力デバイスを含み得る。揮発性および不揮発性メモリおよび／または記憶素子は、ＲＡＭ、ＥＰＲＯＭ、フラッシュドライブ、光ドライブ、磁気ハードドライブ、ソリッドステートドライブ、または電子データを格納するための他の媒体であり得る。ノードおよび無線デバイスは送受信モジュール、計数モジュール、処理モジュール、および／またはクロックモジュールもしくはタイマモジュールも含み得る。本明細書に記載される種々の技術を実装または利用することができる１つまたは複数のプログラムは、アプリケーションプログラミングインタフェイス（ＡＰＩ：ａｐｐｌｉｃａｔｉｏｎ  ｐｒｏｇｒａｍｍｉｎｇ  ｉｎｔｅｒｆａｃｅ）、再利用可能な制御および同様のものを使用することができる。かかるプログラムは、コンピュータシステムと通信するために、高水準の手続き型またはオブジェクト指向のプログラミング言語で実装され得る。ただし、所望する場合、アセンブリ言語または機械語でプログラム（単数または複数）は実装され得る。いずれの場合も、言語は、コンパイラ型またはインタープリタ型言語であり得、ハードウェア実装と組み合わせられ得る。
【００５１】
本明細書に記載されている機能ユニットの多くは、その実装の独立性をことさら特に強調するために、モジュールと呼んできたことを理解されたい。例えば、モジュールは、カスタムＶＬＳＩ回路もしくはゲートアレイ、論理チップ、トランジスタなどの市販の半導体、またはその他のディスクリートコンポーネントを含むハードウェア回路として実装され得る。モジュールは、フィールドプログラマブルゲートアレイ、プログラマブル論理アレイ、プログラマブル論理デバイスまたは同様のものなどのプログラム可能なハードウェアデバイスでも実装され得る。
【００５２】
モジュールは種々のタイプのプロセッサによって実行されるソフトウェアでも実装され得る。例えば、実行可能コードの特定のモジュールは、例えばオブジェクト、手順または機能として構成され得る、コンピュータ命令の１つまたは複数の物理的または論理的ブロックを含み得る。しかしながら、特定のモジュールの実行可能物は、物理的に併置される必要はないが、論理的に結合するとモジュールを構成しモジュールの指定の目的を達成する、異なる場所に格納されている完全に異なる命令を含み得る。
【００５３】
実際に、実行可能コードのモジュールは、単一の命令または多数の命令であることができ、複数の異なるコードセグメント上、別々のプログラムの中、および複数の記憶デバイスに横断的に分配され得る。同様に、運用データは、本明細書ではモジュール内に特定し示すことができ、任意の適当な形態で具現化し、任意の適当なタイプのデータ構造内に構成することができる。運用データについては、単一のデータセットとして収集することができ、または別々の記憶デバイス上を含む別々の場所上に分配することができ、さらには少なくとも部分的に、システムまたはネットワーク上の単に電子信号として存在することができる。モジュールは、所望の機能を実行するように動作可能なエージェントを含み、パッシブまたはアクティブであり得る。
【００５４】
本明細書で用いられる場合、「プロセッサ」という用語は、汎用プロセッサ、ＶＬＳＩ、ＦＰＧＡなどの専用プロセッサ、その他のタイプの専用プロセッサのほか、無線通信を送信、受信および処理するために送受信機に使用されるベースバンドプロセッサを含み得る。「送受信回路」という用語は、符号化、復号、変調、復調などのベースバンド処理を実行するために使用される、送受信機または送受信回路それぞれに対する１つまたは複数のベースバンドプロセッサを含み得る。
【００５５】
本明細書を通じ「一例」を参照するとは、当該例に関して記載された特定の特徴、構造、または特性が少なくとも１つの実施形態に含まれることを意味する。したがって、本明細書中の様々な箇所における「一例において」という語句の出現は必ずしもすべて同じ実施形態を参照するということではない。
【００５６】
本明細書で用いられる場合、複数のアイテム、構造要素、構成要素および／または素材は、便宜上共通の一覧に示され得る。しかしながら、これらの一覧は、一覧の各項を別々の一意の項として個別に識別されるように解釈されなければならない。したがって、これに反する表示がない限り、かかる一覧の個々の項は、それが共通のグループに提示されるからといって、同じ一覧のその他の項と事実上均等であると解釈されてはならない。さらに、種々の実施形態および例は、その種々のコンポーネントの代替手段と共に本明細書で参照され得る。かかる実施形態、例、代替手段は、事実上相互に均等であると解釈されてはならず、個々に独立した実施形態、例および代替手段とみなされるべきことを理解されたい。
【００５７】
さらに、記載された特徴、構造または特性は、１つまたは複数の実施形態において任意の適当な仕方で結合することができる。以下の記載において、いくつかの実施形態の十分な理解が得られるように、多数の具体的な詳細、例えばレイアウト、距離、ネットワークなどの例などが提供される。しかしながら、関連技術の当業者は、いくつかの実施形態は、特定の詳細の１つまたは複数に関して、または他の方法、コンポーネント、レイアウトなどと、異なることがあることを認識するであろう。他の例では、実施形態の態様を不明瞭にすることを避けるために、周知の構造、素材、または動作は、詳細に示されず、記載されてもいない。
【００５８】
前述の例は、１つまたは複数の特定の用途におけるいくつかの実施形態の原理を例示するものであるが、発明能力を発揮することなく、本開示および特許請求の範囲に記された原理および概念から逸脱することなく、実施の形、使用および詳細における多数の変更を成し得ることは、当業者には明らかであろう。従って、本開示または図面が制限することを意図しない。意図された制限は以下の請求項で定められる。
［項目１］
デバイス間（Ｄ２Ｄ）通信およびアクセスクラス規制（ＡＣＢ）をサポートするよう動作可能なネットワークノードであって、
上記ネットワークノードによってサービスされるセル内で有効であるＡＣＢ構成が、上記セル内のユーザ機器（ＵＥ）によってＤ２Ｄ通信のためにスキップされてもよいことを判断するよう構成された１つまたは複数のプロセッサと、
上記ネットワークノードによってサービスされる上記セル内に位置する複数のＵＥにＡＣＢスキップシステム情報をブロードキャストするよう構成された送受信回路であって、上記ＡＣＢスキップシステム情報は、上記ＡＣＢ構成がＤ２Ｄ通信を確立することを要求する上記セル内のＵＥによってスキップされてもよいとの標識を含む、上記送受信回路とを備えるネットワークノード。
［項目２］
上記ＡＣＢスキップシステム情報が異なるタイプのＵＥ用の個別パラメータ群を含む、項目１に記載のネットワークノード。
［項目３］
上記異なるタイプが公共安全タイプまたは非公共安全タイプのうちの少なくとも１つを含む、項目２に記載のネットワークノード。
［項目４］
上記ＡＣＢスキップシステム情報は、システム情報ブロックタイプ２（ＳＩＢ２）ブロードキャストの情報要素（ＩＥ）を含む、項目２に記載のネットワークノード。
［項目５］
上記１つまたは複数のプロセッサは、上記ネットワークノードによってサービスされる上記セル内のユーザ機器（ＵＥ）が、第１のＤ２Ｄ資源割り当てモード（モード１）の使用が上記セル内で規制されているとき、第２のＤ２Ｄ資源割り当てモード（モード２）を使用することを許されていることを判断するようさらに構成され、上記ＵＥがモード２において無線資源を割り当て、上記ネットワークノードがモード１ネットワークノードにおいて無線資源を割り当て、
上記送受信回路はさらに、上記ネットワークノードによってサービスされる上記セル内に位置する上記複数のＵＥに、Ｄ２Ｄ資源割り当てモード通信をブロードキャストするように構成され、上記Ｄ２Ｄ資源割り当てモード通信は、モード１の使用が上記セル内で規制されているとき、モード２を使用することをＵＥが許されているとの標識を含む、項目１に記載のネットワークノード。
［項目６］
上記標識は、Ｄ２Ｄ通信のために無線資源制御（ＲＲＣ）接続を確立することを要求する上記セル内のＵＥによって上記ＡＣＢ構成がスキップされてもよいことを示す、項目５に記載のネットワークノード。
［項目７］
デバイス間（Ｄ２Ｄ）通信をサポートするよう構成されたユーザ機器（ＵＥ）であって、
アクセスクラス規制（ＡＣＢ）スキップ通信をネットワークノードから受信するよう構成された送受信回路であって、上記ＡＣＢスキップ通信は、上記ネットワークノードによって無線資源が割り当てられるＤ２Ｄ資源割り当てモード（モード１）を使用するＤ２Ｄ通信のために上記ＵＥが無線資源制御（ＲＲＣ）接続を確立することを要求するとき、上記ＵＥが上記ネットワークノードによって使用されているＡＣＢ構成をスキップすることを許可されているとの標識を含む、送受信回路と、
Ｄ２Ｄ通信のためにＲＲＣ接続を確立するとき、上記ＵＥが上記ＡＣＢ構成をスキップできるように上記標識を適用するように構成された１つまたは複数のプロセッサとを備える、ユーザ機器（ＵＥ）。
［項目８］
上記ＡＣＢスキップ通信が異なるタイプのＵＥ用の個別パラメータ群を含む、項目７に記載のＵＥ。
［項目９］
上記異なるタイプは公共安全タイプまたは非公共安全タイプのうちの少なくとも１つを含む、項目８に記載のＵＥ。
［項目１０］
上記ＡＣＢスキップ通信はシステム情報ブロックタイプ２（ＳＩＢ２）ブロードキャストの情報要素（ＩＥ）を含む、項目８に記載のＵＥ。
［項目１１］
上記１つまたは複数のプロセッサがさらに、上記標識に基づき、Ｄ２Ｄ通信を目的とし上記送受信回路を介して上記ネットワークノードとの無線資源制御（ＲＲＣ）接続を確立するように構成された、項目７に記載のＵＥ。
［項目１２］
上記送受信回路がさらにＤ２Ｄ資源割り当てモード通信を受信するよう構成され、上記Ｄ２Ｄ資源割り当てモード通信は、上記ネットワークノードによってサービスされるセル内のＵＥが、第２のＤ２Ｄ資源割り当てモード（モード２）を使用することを許されているとの標識を含み、ＵＥはモード２においてＤ２Ｄ通信のために無線資源を割り当てることを許可されており、
上記１つまたは複数のプロセッサがさらに、上記Ｄ２Ｄ資源割り当てモード通信に基づきＤ２Ｄ通信のためのモードを選択するように構成された、項目７に記載のＵＥ。
［項目１３］
上記ネットワークノードが発展型ノードＢ（ｅＮＢ）である、項目７に記載のＵＥ。
［項目１４］
上記ＡＣＢスキップ通信がさらに、
モード１に適用可能な第１の複数のパラメータであって、それぞれのパラメータはＵＥの異なるカテゴリに対応する、第１の複数のパラメータ、および、
第２のＤ２Ｄ資源割り当てモード（モード２）に適用可能な第２の複数のパラメータであって、それぞれのパラメータはＵＥの異なるカテゴリに対応し、ＵＥはモード２を使用するときＤ２Ｄ通信のために無線資源を割り当てることを許可されている、第２の複数のパラメータを含む項目７に記載のＵＥ。
［項目１５］
上記送受信回路がさらに、上記ＵＥはＤ２Ｄ通信のためのモード１の使用を規制されていると示すＡＣＢ通信を上記ネットワークノードから受信するように構成され、
上記１つまたは複数のプロセッサがさらに、上記ＵＥはモード１の使用を規制されていると示す上記ＡＣＢスキップ通信に基づき、Ｄ２Ｄ通信のためにモード２を選択するように構成された、項目１４に記載のＵＥ。
［項目１６］
無線資源制御レイヤ（ＲＲＣレイヤ）モジュールと、
Ｄ２Ｄ通信のためにＲＲＣ接続が確立されることを求める要求を上記ＲＲＣレイヤモジュールに送信するように構成された上記ＵＥにおける非アクセス層レイヤ（ＮＡＳレイヤ）モジュールであって、
上記要求は上記ＲＲＣ接続がモバイル発信Ｄ２Ｄ通信のために確立されるべきであることを意味する呼種別またはＲＲＣ確立理由を含む、非アクセス層レイヤモジュールとをさらに備える項目７に記載のＵＥ。
［項目１７］
命令群を含む１つまたは複数の非一時的なコンピュータ読み取り可能媒体であって、上記命令群が１つまたは複数のプロセッサによって実行されると、以下のこと、すなわち、
ユーザ機器（ＵＥ）において、アクセスクラス規制（ＡＣＢ）スキップ通信をネットワークノードから受信することであって、上記ＡＣＢスキップ通信は、無線資源が上記ネットワークノードによって割り当てられるＤ２Ｄ資源割り当てモード（モード１）を使用するＤ２Ｄ通信のために上記ＵＥが無線資源制御（ＲＲＣ）接続を確立することを求めるとき、上記ＵＥが上記ネットワークノードにて適用されたＡＣＢ構成をスキップすることを許可されているとの標識を含む、受信すること、および
上記ＡＣＢスキップ通信に基づき、モード１を使用するＤ２Ｄ通信のためにＲＲＣ接続を確立することをユーザ機器（ＵＥ）がいつ許されるか判断することを実行する、１つまたは複数の非一時的なコンピュータ読み取り可能媒体。
［項目１８］
Ｄ２Ｄ資源割り当てモード通信を受信することであって、上記Ｄ２Ｄ資源割り当てモード通信は、上記ネットワークノードによってサービスされるセル内のＵＥが、Ｄ２Ｄ通信のために無線資源を割り当てることをＵＥが許可されている第２のＤ２Ｄ資源割り当てモード（モード２）を使用することを許されているとの標識を含む、受信すること、および
上記Ｄ２Ｄ資源割り当てモード通信に基づき、上記ＵＥによってＤ２Ｄ通信のために使用されるモードを選択することをさらに含む、項目１７に記載の１つまたは複数の非一時的なコンピュータ読み取り可能媒体。
［項目１９］
少なくとも１つのパラメータがＵＥを表す異なるカテゴリに対応する、モード１に適用可能な第１の複数のパラメータを受信すること、
モード２を使用するときＵＥがＤ２Ｄ通信のために無線資源を割り当てることを許可されている、第２のＤ２Ｄ資源割り当てモード（モード２）に適用可能な第２の複数のパラメータ、および
上記第１の複数のパラメータに基づくと共に上記第２の複数のパラメータに基づき、上記ＵＥによってＤ２Ｄ通信のために使用されるモードを選択することをさらに含む、項目１８に記載の１つまたは複数の非一時的なコンピュータ読み取り可能媒体。
［項目２０］
上記第１の複数のパラメータの上記少なくとも１つのパラメータが公共安全カテゴリに対応する、項目１９に記載の１つまたは複数の非一時的なコンピュータ読み取り可能媒体。
［項目２１］
ユーザ機器（ＵＥ）の装置であって、上記装置がデバイス間（Ｄ２Ｄ）通信をサポートするように構成された回路を備え、上記回路が、
フォールバック通信をネットワークノードから受信することであって、上記フォールバック通信は、第１のＤ２Ｄ資源割り当てモード（モード１）の使用が上記ネットワークノードによってサービスされるセル内のアクセスクラス規制（ＡＣＢ）によって規制されているとき、第２のＤ２Ｄ資源割り当てモード（モード２）を使用することを上記ＵＥが許可されているとの標識を含み、ＵＥがモード２において無線資源を割り当て、上記ネットワークノードがモード１において資源を割り当てる、受信すること、および
上記ＵＥがＤ２Ｄ通信を実行しようとするときに上記標識を適用することを行うように構成された、装置。
［項目２２］
上記フォールバック通信がシステム情報ブロックタイプ２（ＳＩＢ２）ブロードキャストの情報要素（ＩＥ）を含む、項目２１に記載の装置。
［項目２３］
上記ネットワークノードが発展型ノードＢ（ｅＮＢ）である、項目２１に記載の装置。
【図１】
0006436547.tif 000002
【図２】
0006436547.tif 000003
【図３】
0006436547.tif 000004
【図４ａ】
0006436547.tif 000005
【図４ｂ】
0006436547.tif 000006
【図５】
0006436547.tif 000007
【図６】
0006436547.tif 000008
【図７】
0006436547.tif 000009